(57)【特許請求の範囲】
【請求項１】
炊飯器の加熱制御方法であって、
前記炊飯器は、第一加熱コイルと第二加熱コイルとを有し、前記第一加熱コイルが前記炊飯器の内鍋の下方に位置し、前記第二加熱コイルが前記第一加熱コイルの底部と予め設定された角度をなし、
前記加熱制御方法が、Ｎ個の加熱サイクルで前記炊飯器が加熱されるように制御し、ここで、Ｎは正整数であり、且つ各前記加熱サイクルが第一時間帯と第二時間帯とを含み、前記第一時間帯は前記第二時間帯よりも先であり、
前記第一時間帯において前記第二加熱コイルで加熱するように制御し、前記炊飯器の前記内鍋の温度を側面から底部へ拡散させ、
前記第二時間帯において前記第一加熱コイルで加熱するように制御し、前記炊飯器の前記内鍋の温度を底部から上方へ拡散させ、
ｉ番目の加熱サイクルにおける前記第一時間帯がｊ番目の加熱サイクルにおける前記第一時間帯より大きく、
ｉ番目の加熱サイクルにおける前記第二時間帯がｊ番目の加熱サイクルにおける前記第二時間帯より小さく、
０＜ｉ＜ｊ≦Ｎである炊飯器の加熱制御方法。
【請求項２】
各前記加熱サイクルが４秒＜Ｔ＜５０秒の条件を満たし、Ｔが各前記加熱サイクルの時間の長さである請求項１に記載の炊飯器の加熱制御方法。
【請求項３】
各前記加熱サイクルにおける前記第二加熱時間帯において、前記第二加熱コイルで加熱するように更に制御し、
ここで、前記第一加熱コイルの加熱電力が前記第二加熱コイルの加熱電力と異なる請求項１又は請求項２に記載の炊飯器の加熱制御方法。
【請求項４】
前記第二加熱コイルが、前記炊飯器の前記内鍋の下方に位置する第一部分と、前記炊飯器の前記内鍋の側面に位置する第二部分とを有する請求項１から請求項３のいずれかに記載の炊飯器の加熱制御方法。
【請求項５】
前記Ｎ個の加熱サイクルのうち少なくとも一部の加熱サイクルの時間の長さが異なる請求項１から請求項４のいずれかに記載の炊飯器の加熱制御方法。
【請求項６】
ｉ番目の加熱サイクルの時間の長さがｊ番目の加熱サイクルの時間の長さより小さく、
０＜ｉ＜ｊ≦Ｎである請求項５に記載の炊飯器の加熱制御方法。
【請求項７】
炊飯器であって、
該炊飯器の内鍋の下方に位置する第一加熱コイルと、
該第一加熱コイルの底部と予め設定された角度をなす第二加熱コイルと、
コントローラとを有し、
該コントローラが、Ｎ個の加熱サイクルで前記第一加熱コイルと前記第二加熱コイルとを制御して加熱し、
ここで、各前記加熱サイクルが第一時間帯と第二時間帯とを含み、前記第一時間帯は前記第二時間帯よりも先であり、
前記第一時間帯において前記第二加熱コイルで加熱するように制御し、前記内鍋の温度を側面から底部へ拡散させ、
前記第二時間帯において前記第一加熱コイルで加熱するように制御し、前記内鍋の温度を底部から上方へ拡散させ、Ｎが正整数であり、
ｉ番目の加熱サイクルにおける前記第一時間帯はｊ番目の加熱サイクルにおける前記第一時間帯より大きく、
ｉ番目の加熱サイクルにおける前記第二時間帯はｊ番目の加熱サイクルにおける前記第二時間帯より小さく、
０＜i＜ｊ≦Ｎである炊飯器。
【請求項８】
各前記加熱サイクルが４秒＜Ｔ＜５０秒を満たし、Ｔが各前記加熱サイクルの時間の長さである請求項７に記載の炊飯器。
【請求項９】
各前記加熱サイクルにおける前記第二時間帯において前記第二加熱コイルで加熱するように制御し、
ここで、前記第一加熱コイルの加熱電力が前記第二加熱コイルの加熱電力と異なる請求項７又は請求項８に記載の炊飯器。
【請求項１０】
前記第二加熱コイルが、前記内鍋の下方に位置する第一部分と、前記内鍋の側面に位置する第二部分とを有する請求項７から請求項９のいずれかに記載の炊飯器。
【請求項１１】
前記Ｎ個の加熱サイクルのうち少なくとも一部の加熱サイクルの時間の長さが異なる請求項７から請求項１０のいずれかに記載の炊飯器。
【請求項１２】
ｉ番目の加熱サイクルの時間の長さはｊ番目の加熱サイクルの時間の長さより小さく、
０＜ｉ＜ｊ≦Ｎである請求項１１に記載の炊飯器。
【請求項１３】
炊飯器の加熱制御方法であって、
前記炊飯器は、第一加熱コイルと第二加熱コイルとを有し、前記第一加熱コイルが前記炊飯器の内鍋の下方に位置し、前記第二加熱コイルが前記第一加熱コイルの底部と予め設定された角度をなし、
前記加熱制御方法が、第一加熱段階と第二加熱段階とを含み、
前記第一加熱段階において、Ｎ１個の加熱サイクルで前記炊飯器が加熱されるように制御し、また前記第一加熱段階の各加熱サイクルにおいて、前記第二加熱コイルの加熱時間が前記第一加熱コイルの加熱時間よりも大きくなるように制御して前記第二加熱コイルの加熱を主要とし、ここで、Ｎ１が正整数であり、
前記第二加熱段階において、Ｎ２個の加熱サイクルで前記炊飯器が加熱されるように制御し、また前記第二加熱段階の各加熱サイクルにおいて、前記第二加熱コイルの加熱時間が前記第一加熱コイルの加熱時間よりも小さくなるように制御して前記第一加熱コイルの加熱を主要とし、ここで、Ｎ２正整数であり、
前記第一加熱段階において、ｉ番目の加熱サイクルにおける前記第一加熱コイルの加熱時間に対する前記第二加熱コイルの加熱時間の時間比率が、ｊ番目の加熱サイクルにおける前記第一加熱コイルの加熱時間に対する前記第二加熱コイルの加熱時間の時間比率より小さく、
０＜ｉ＜ｊ≦Ｎ１である炊飯器の加熱制御方法。
【請求項１４】
各前記加熱サイクルにおいて、
前記第二加熱コイルで加熱するように制御し、前記炊飯器の前記内鍋の温度を側面から底部へ拡散させ、
前記第一加熱コイルで加熱するように制御し、前記炊飯器の前記内鍋の温度を底部から上方へ拡散させる請求項１３に記載の炊飯器の加熱制御方法。
【請求項１５】
各前記加熱サイクルが４秒＜Ｔ＜５０秒を満たし、ここで、Ｔが各前記加熱サイクルの時間の長さである請求項１３又は請求項１４に記載の炊飯器の加熱制御方法。
【請求項１６】
前記Ｎ１個の加熱サイクルにおいて、前記第二加熱コイルで加熱するように制御する場合、前記第一加熱コイルで加熱しないように制御する請求項１４に記載の炊飯器の加熱制御方法。
【請求項１７】
前記Ｎ２個の加熱サイクルにおいて、前記第二加熱コイルで加熱するように制御する場合、前記第一加熱コイルで加熱しないように制御する請求項１４に記載の炊飯器の加熱制御方法。
【請求項１８】
前記炊飯器内の頂部の温度を検出して、
前記炊飯器内の頂部の温度が温度閾値に達した場合、前記炊飯器を前記第二加熱段階に入るように制御することを更に含む請求項１３から請求項１７のいずれかに記載の炊飯器の加熱制御方法。
【請求項１９】
前記第二加熱段階において、ｋ番目の加熱サイクルにおける前記第一加熱コイルの加熱時間に対する前記第二加熱コイルの加熱時間の時間比率が前記予め設定された閾値より小さく、
０＜ｋ≦Ｎ２である請求項１３から請求項１８のいずれかに記載の炊飯器の加熱制御方法。
【請求項２０】
炊飯器であって、
該炊飯器の内鍋の下方に位置する第一加熱コイルと、
該第一加熱コイルの底部と予め設定された角度をなす第二加熱コイルと、
コントローラとを有し、
該コントローラは、第一加熱段階と第二加熱段階で、前記第一加熱コイルと前記第二加熱コイルとで加熱するように制御し、
ここで、前記第一加熱段階において、前記コントローラがＮ１個の加熱サイクルで加熱されるように制御し、また前記第一加熱段階の各加熱サイクルにおいて、前記第二加熱コイルの加熱時間が前記第一加熱コイルの加熱時間よりも大きくなるように制御して前記第二加熱コイルの加熱を主要とし、
前記第二加熱段階において、前記コントローラがＮ２個の加熱サイクルで加熱されるように制御し、また前記第二加熱段階の各加熱サイクルにおいて、前記コントローラが前記第二加熱コイルの加熱時間が前記第一加熱コイルの加熱時間よりも小さくなるように制御して前記第一加熱コイルの加熱を主要とし、ここで、Ｎ１とＮ２とがいずれも正整数であり、
前記第一加熱段階において、ｉ番目の加熱サイクルにおける前記第一加熱コイルの加熱時間に対する前記第二加熱コイルの加熱時間の時間比率が、ｊ番目の加熱サイクルにおける前記第一加熱コイルの加熱時間に対する前記第二加熱コイルの加熱時間の時間比率より小さく、
０＜ｉ＜ｊ≦Ｎ１である炊飯器。
【請求項２１】
各前記加熱サイクルにおいて、
前記コントローラが、前記第二加熱コイルで加熱するように制御し、前記内鍋の温度を側面から底部へ拡散させ、前記第一加熱コイルで加熱するように制御し、前記内鍋の温度を底部から上方へ拡散させる請求項２０に記載の炊飯器。
【請求項２２】
各前記加熱サイクルが４秒＜Ｔ＜５０秒を満たし、ここで、Ｔが各前記加熱サイクルの時間の長さである請求項２０又は請求項２１に記載の炊飯器。
【請求項２３】
前記Ｎ１個の加熱サイクルにおいて、前記コントローラが、前記第二加熱コイルで加熱するように制御する場合、前記第一加熱コイルで加熱しないように制御する請求項２１に記載の炊飯器。
【請求項２４】
前記Ｎ２個の加熱サイクルにおいて、前記コントローラが、前記第二加熱コイルで加熱するように制御する場合、前記第一加熱コイルで加熱しないように制御する請求項２１に記載の炊飯器。
【請求項２５】
前記炊飯器の内部の温度を検出するための温度検出器を更に有し、
該温度検出器が前記炊飯器内の頂部に配置され、
前記温度検出器により検出された温度が予め設定された温度に達した場合、前記コントローラが前記第二加熱段階に入るように制御する請求項２０から請求項２４のいずれかに記載の炊飯器。
【請求項２６】
前記第二加熱段階において、ｋ番目の加熱サイクルにおける前記第一加熱コイルの加熱時間に対する前記第二加熱コイルの加熱時間の時間比率が前記予め設定された閾値より小さく、
０＜ｋ≦Ｎ２である請求項２０から請求項２５のいずれかに記載の炊飯器。
【請求項２７】
コンピュータ命令を含むコンピュータ読み取り可能な記録媒体であって、
前記コンピュータ命令が実行される場合、請求項１から請求項６、および請求項１３から請求項１９のいずれかに記載の炊飯器の加熱制御方法を実行するコンピュータ読み取り可能な記録媒体。
【発明の詳細な説明】
【技術分野】
【０００１】
本発明は、電気器具技術分野に関し、特に炊飯器の加熱制御方法及び炊飯器に関する。
【背景技術】
【０００２】
従来、一部の炊飯器はＩＨ（Ｉｎｄｕｃｔｉｏｎ  Ｈｅａｔｅｒ，誘導加熱）コイルプレートで加熱し、普通のＩＨコイルプレートは一体に加熱するため、コイルプレートのコイル・レイトアウトを調整することにより加熱の均一性を変化させることができる。しかし、炊飯器は、ＩＨコイルプレートを全体的に制御することにより、内鍋の底部が即刻加熱し、大電力で炊飯器の内鍋内において上方へ垂直な熱流が容易に内鍋全体の米を上方へ漂わせ、熱流と気泡とが米粒層をよく透過することができず、加熱の不均一が発生し、ご飯の味が悪くなる。
【０００３】
また、ご飯を炊くうちに、炊飯器の底部の火力が大きい程度に維持すれば、底部の米粒がすぐ焦げ、粘着して米ブロックとなり、粘着した米ブロックが中層又は上層の米への熱量の伝送を大いに阻止し、内鍋内の温度において上下の差が大きくなる。また、水が沸騰した後、内鍋の底部から形成される気泡も米ブロックを透過して均一な沸騰気泡を形成することができない。
【発明の概要】
【発明が解決しようとする課題】
【０００４】
本発明の目的は、少なくともある程度、上記の技術課題を解決することである。
【課題を解決するための手段】
【０００５】
そのため、本発明の一つの目的は、炊飯器の加熱制御方法を提供し、炊飯器の加熱制御方法により、米が上方へ漂わないように維持することができ、炊飯器の内鍋が均一に加熱され、味がよいご飯を得られる。
【０００６】
本発明のもう一つの目的は、炊飯器を提供することである。
【０００７】
本発明のもう一つの目的は、炊飯器の加熱制御方法を提供し、当該加熱制御方法は温度の偏差を減少させ、沸騰した後、均一な沸騰気泡が形成され、均一に加熱することができ、ご飯の味がよくなる。
【０００８】
本発明のもう一つの目的は、炊飯器を提供することである。
【０００９】
上記の目的を達成するために、本発明の一実施形態の実施例は、炊飯器の加熱制御方法であって、前記炊飯器は、第一加熱コイルと第二加熱コイルとを有し、前記第一加熱コイルが前記炊飯器の内鍋の下方に位置し、前記第二加熱コイルが前記第一加熱コイルの底部と予め設定された角度をなし、前記制御方法が、Ｎ個の加熱サイクルで前記炊飯器が加熱されるように制御し、ここで、Ｎは正整数であり、且つ各前記加熱サイクルが第一時間帯と第二時間帯とを含み、前記第一時間帯において前記第二加熱コイルで加熱するように制御し、前記炊飯器の前記内鍋の温度を側面から底部へ拡散させ、前記第二時間帯において前記第一加熱コイルで加熱するように制御し、前記炊飯器の前記内鍋の温度を底部から上方へ拡散させる。
【００１０】
本発明の実施形態による炊飯器の加熱制御方法によると、第一加熱コイルと第二加熱コイルとをそれぞれ制御することにより加熱し、且つ各加熱サイクル内でまず第二加熱コイルで加熱するように制御し、内鍋の米のフロートを防止することができ、更に第二加熱時間帯に第一加熱コイルで加熱するように制御する。これでより均一に加熱することができ、ご飯の味がよくなる。
【００１１】
具体的には、上記実施形態の一部において、各前記加熱サイクルが４秒＜Ｔ＜５０秒の条件を満たし、Ｔが各前記加熱サイクルの時間の長さであってもよい。
【００１２】
ここで、上記実施形態の一部において、各前記加熱サイクルにおける前記第二加熱時間帯において、前記第二加熱コイルで加熱するように更に制御し、ここで、前記第一加熱コイルの加熱電力が前記第二加熱コイルの加熱電力と異なっていてもよい。
上記実施形態の一部において、前記第二加熱コイルが、前記炊飯器の前記内鍋の下方に位置する第一部分と、前記炊飯器の前記内鍋の側面に位置する第二部分とを有していてもよい。
【００１３】
上記実施形態の一部において、ｉ番目の加熱サイクルにおける前記第一時間帯がｊ番目の加熱サイクルにおける前記第一時間帯より大きく、ｉ番目の加熱サイクルにおける前記第二時間帯がｊ番目の加熱サイクルにおける前記第二時間帯より小さく、０＜ｉ＜ｊ≦Ｎであってもよい。
【００１４】
上記実施形態の一部において、前記Ｎ個の加熱サイクルのうち少なくとも一部の加熱サイクルの時間の長さが異なっていてもよい。
【００１５】
上記実施形態の一部において、ｉ番目の加熱サイクルの時間の長さがｊ番目の加熱サイクルの時間の長さより小さく、０＜ｉ＜ｊ≦Ｎであってもよい。
【００１６】
これにより、異なる加熱段階によっては加熱サイクルの時間の長さも変化させることができ、第一加熱コイルと第二加熱コイルとが一つの加熱サイクル内における加熱時間比率も変化させることができ、加熱熱量の均一的な分布に有利があり、より均一的に加熱することができる。
【００１７】
上記の目的を達成するために、本発明の他の実施形態に係る炊飯器であって、該炊飯器は、第一加熱コイル及び第二加熱コイルとコントローラとを有し、前記第一加熱コイルが前記炊飯器の内鍋の下方に設けられ、前記第二加熱コイルが前記第一加熱コイルの底部と予め設定された角度をなし、前記コントローラが、Ｎ個の加熱サイクルで前記第一加熱コイルと前記第二加熱コイルとを制御して加熱し、ここで、各前記加熱サイクルが第一時間帯と第二時間帯とを含み、前記第一時間帯において前記第二加熱コイルで加熱するように制御し、前記内鍋の温度を側面から底部へ拡散させ、前記第二時間帯において前記第一加熱コイルで加熱するように制御し、前記内鍋の温度を底部から上方へ拡散させ、Ｎは正整数である。
【００１８】
本実施形態に係る炊飯器は、コントローラが第一加熱コイルと第二加熱コイルとをそれぞれ制御することにより、加熱し、且つ各加熱サイクルにおいて、まず第二加熱コイルで加熱するように制御する。これにより、内鍋内の米のフロートが防止され、更に、第二時間帯において第一加熱コイルで加熱するように制御し、より均一に加熱させて、ご飯の味がよりよくなる。
【００１９】
具体的には、上記実施形態の一部において、各前記加熱サイクルが４秒＜Ｔ＜５０秒を満たし、ここで、Ｔが各前記加熱サイクルの時間の長さであってもよい。
【００２０】
ここで、上記実施形態の一部において、各前記加熱サイクルにおける前記第二時間帯において前記第二加熱コイルで加熱するように制御し、ここで、前記第一加熱コイルの加熱電力が前記第二加熱コイルの加熱電力と異なっていてもよい。
【００２１】
更に、上記実施形態の一部において、前記第二加熱コイルが、前記内鍋の下方に位置する第一部分と、前記内鍋の側面に位置する第二部分とを有していてもよい。
【００２２】
上記実施形態の一部において、ｉ番目の加熱サイクルにおける前記第一時間帯がｊ番目の加熱サイクルにおける前記第一時間帯より大きく、ｉ番目の加熱サイクルにおける前記第二時間帯がｊ番目の加熱サイクルにおける前記第二時間帯より小さく、０＜i＜ｊ≦Ｎであってもよい。
【００２３】
上記実施形態の一部において、前記Ｎ個の加熱サイクルのうち少なくとも一部の加熱サイクルの時間の長さが異なっていてもよい。
【００２４】
上記実施形態の一部において、ｉ番目の加熱サイクルの時間の長さはｊ番目の加熱サイクルの時間の長さより小さく、０＜i＜ｊ≦Ｎである。
【００２５】
これにより、異なる加熱段階によっては加熱サイクルの時間の長さも変化させ、第一加熱コイルと第二加熱コイルとが一つの加熱サイクル内における加熱時間比率も変化させ、加熱熱量の均一的な分布を向上し、より均一的に加熱することができる。
【００２６】
上記の目的を達成するために、本発明の他の実施形態により炊飯器の加熱制御方法が提供される。炊飯器は、第一加熱コイルと第二加熱コイルとを有し、前記第一加熱コイルが前記炊飯器の内鍋の下方に位置し、前記第二加熱コイルが前記第一加熱コイルの底部と予め設定された角度をなし、前記加熱制御方法が、第一加熱段階と第二加熱段階とを含み、前記第一加熱段階において、Ｎ１個の加熱サイクルで前記炊飯器が加熱されるように制御し、且つ前記Ｎ１個の加熱サイクルにおいて、前記第二加熱コイルの加熱時間と前記第一加熱コイルの加熱時間との時間比率が予め設定された比率閾値より大きくするように制御し、ここで、Ｎ１が正整数であり、前記第二加熱段階において、Ｎ２個の加熱サイクルで前記炊飯器が加熱されるように制御し、且つ前記Ｎ２個の加熱サイクルにおいて、前記第二加熱コイルの加熱時間と前記第一加熱コイルの加熱時間との時間比率を小さくなるように制御し、ここで、Ｎ２が正整数である。
【００２７】
本実施形態に係る炊飯器の加熱制御方法は、第一加熱コイルと第二加熱コイルとをそれぞれ制御することにより、加熱し、更に第一加熱段階に、第二加熱コイルの加熱時間が第一加熱コイルの加熱時間に対する比率が予め設定された時間比率より大きく、即ち、第二加熱コイルを主にすることにより、炊飯器底部の米が深刻な米ブロック層の形成を防止する。また、更に第二加熱段階に、第二加熱コイルの加熱時間が第一加熱コイルの加熱時間に対する比率を小さくなるように制御し、即ち、第二加熱コイルの加熱時間を少なくし、第一加熱コイルの加熱比率を大きくさせ、これにより内鍋の底部により発生する気泡が順調に上方へ均一にルースな米粒を透過し、沸騰も均一的で、出来上がったご飯が柔らかくなるという効果がある。
【００２８】
ここで、上記実施形態の一部において、各前記加熱サイクルにおいて、前記コントローラが、前記第二加熱コイルで加熱するように制御し、前記内鍋の温度を側面から底部へ拡散させ、前記第一加熱コイルで加熱するように制御し、前記内鍋の温度を底部から上方へ拡散させてもよい。
【００２９】
具体的には、上記実施形態の一部において、各前記加熱サイクルが４秒＜Ｔ＜５０秒を満たし、ここで、Ｔが各前記加熱サイクルの時間の長さであってもよい。
【００３０】
ここで、上記実施形態の一部において、前記Ｎ１個の加熱サイクルにおいて、前記コントローラが、前記第二加熱コイルで加熱するように制御する場合、前記第一加熱コイルで加熱しないように制御してもよい。
【００３１】
上記実施形態の一部において、前記Ｎ２個の加熱サイクルにおいて、前記コントローラが、前記第二加熱コイルで加熱する場合、前記第一加熱コイルで加熱しないように制御してもよい。
【００３２】
具体的には、上記実施形態の一部において、上記炊飯器の加熱制御方法は、前記炊飯器内の頂部の温度を検出する工程と、前記炊飯器内の頂部の温度が温度閾値までに達する場合、前記炊飯器を前記第二加熱段階に入るように制御する工程とを更に含んでいてもい。
【００３３】
ここで、上記実施形態の一部において、前記第一加熱段階において、前記第二加熱コイルの加熱時間と前記第一加熱の加熱時間との時間比率が定数である、又は、前記第一加熱段階において、ｉ番目の加熱サイクルにおける前記第二加熱コイルの加熱時間と前記第一加熱コイルの加熱時間との時間比率が、ｊ番目の加熱サイクルにおける前記第二加熱コイルの加熱時間と前記第一加熱コイルの加熱時間との時間比率より小さく、０＜i＜ｊ≦Ｎ１であってもよい。
【００３４】
ここで、上記実施形態の一部において、前記第二加熱段階において、ｋ番目の加熱サイクルにおける前記第二加熱コイルの加熱時間と前記第一加熱コイルの加熱時間との時間比率が前記予め設定された閾値より小さく、０＜ｋ≦Ｎ２であってもよい。
【００３５】
上記の目的を達成するために、本発明の他の実施形態に係る炊飯器を提供する。炊飯器は、第一加熱コイル及び第二加熱コイルとコントローラとを有し、前記第一加熱コイルが前記炊飯器の内鍋の下方に設けられ、前記第二加熱コイルが前記第一加熱コイルの底部と予め設定された角度をなし、前記コントローラは、第一加熱段階と第二加熱段階とで、前記第一加熱コイルと前記第二加熱コイルとで加熱するように制御し、ここで、前記第一加熱段階において、Ｎ１個の加熱サイクルで加熱されるように制御し、且つ前記Ｎ１個の加熱サイクルにおいて、前記第二加熱コイルの加熱時間と前記第一加熱コイルの加熱時間との時間比率が予め設定された比率閾値より大きくするように制御し、前記第二加熱段階において、Ｎ２個の加熱サイクルで加熱されるように制御し、且つ前記Ｎ２個の加熱サイクルにおいて、前記第二加熱コイルの加熱時間と前記第一加熱コイルの加熱時間との時間比率を小さくなるように制御し、ここで、Ｎ１とＮ２とが正整数である。
【００３６】
本実施形態に係る炊飯器によると、コントローラが第一加熱コイルと第二加熱コイルとをそれぞれ制御することにより、加熱し、更に第一加熱段階に、第二加熱コイルの加熱時間が第一加熱コイルの加熱時間に対する比率が予め設定された時間比率より大きく、即ち、第二加熱コイルを主にすることにより、炊飯器の底部の米が深刻な米ブロック層の形成を防止する。また、更に第二加熱段階に、第二加熱コイルの加熱時間が第一加熱コイルの加熱時間に対する比率を小さくなるように制御し、即ち、第二加熱コイルの加熱時間を少なくし、第一加熱コイルの加熱比率を大きくさせ、これにより内鍋の底部により発生する気泡が順調に上方へ均一にルースな米粒を透過し、沸騰による加熱も均一で、出来上がったご飯は柔らかくなるという効果がある。
【００３７】
ここで、上記実施形態の一部において、各前記加熱サイクル内で、前記コントローラが、前記第二加熱コイルで加熱するように制御し、前記内鍋の温度を側面から底部へ拡散させ、前記第一加熱コイルで加熱するように制御し、前記内鍋の温度を底部から上方へ拡散させてもよい。
【００３８】
具体的には、上記実施形態の一部において、各前記加熱サイクルが４秒＜Ｔ＜５０秒を満たし、ここで、Ｔが各前記加熱サイクルの時間の長さであってもよい。
【００３９】
ここで、上記実施形態の一部において、前記Ｎ１個の加熱サイクルにおいて、前記コントローラが、前記第二加熱コイルで加熱するように制御する場合、前記第一加熱コイルで加熱しないように制御してもよい。
【００４０】
上記実施形態の一部において、前記Ｎ２個の加熱サイクルにおいて、前記コントローラが、前記第二加熱コイルで加熱するように制御し、前記第一加熱コイルで加熱しないように制御してもよい。
【００４１】
また、上記実施形態の一部において、上記炊飯器は、前記炊飯器の内部の温度を検出するための温度検出器を更に有し、該温度検出器が前記炊飯器内の頂部に配置され、前記温度検出器により検出された温度が予め設定された温度に達した場合、前記コントローラが、前記第二加熱段階に入るように制御してもよい。
【００４２】
ここで、上記実施形態の一部において、前記第一加熱段階において、前記第二加熱コイルの加熱時間と前記第一加熱の加熱時間との比率は定数である、又は、前記第一加熱段階において、ｉ番目の加熱サイクルにおける前記第二加熱コイルの加熱時間と前記第一加熱コイルの加熱時間との時間比率が、ｊ番目の加熱サイクルにおける前記第二加熱コイルの加熱時間と前記第一加熱コイルの加熱時間との時間比率より小さく、０＜ｉ＜ｊ≦Ｎ１であってもよい。
【００４３】
ここで、上記実施形態の一部において、ｋ番目の加熱サイクルにおける前記第二加熱コイルの加熱時間と前記第一加熱コイルの加熱時間との時間比率が前記予め設定された閾値より小さく、０＜ｋ≦Ｎ２である。
【００４４】
コンピュータ命令を含むコンピュータ読み取り可能な記録媒体であって、前記コンピュータ命令が実行される場合、上記の炊飯器の加熱制御方法を実行させるものである。
【００４５】
本発明の付加的な特徴と利点は、下記の説明に一部が例示され、他の部分は下記の説明により、明らかになり、本発明の実践により理解されることが容易になる。
【図面の簡単な説明】
【００４６】
【図１】本発明の一実施形態に係る炊飯器の一部の構造模式図である。
【図２】本発明の一実施形態に係る加熱サイクル内での炊飯器の加熱制御方法のフローチャートである。
【図３】本発明の他の実施形態に係る炊飯器の加熱制御過程の模式図である。
【図４】本発明の他の実施形態に係る炊飯器の加熱制御過程の模式図である。
【図５】本発明の他の実施形態に係る炊飯器の加熱制御方法のフローチャートである。
【図６】本発明の他の実施形態に係る炊飯器の加熱制御過程の模式図である。
【図７】本発明の他の実施形態に係る炊飯器の加熱制御方法における各加熱サイクルの制御過程のフローチャートである。
【図８】本発明の他の実施形態に係る炊飯器の第一加熱段階の加熱制御過程の模式図である。
【符号の説明】
【００４７】
１０    第一加熱コイル
２０    第二加熱コイル
３０    内鍋
【発明を実施するための形態】
【００４８】
以下に、本発明の実施形態を詳細に説明する。
上記実施形態の例が図面に示されるが、同一または類似する符号は、常に、同一又は類似の部品、或いは、同一又は類似の機能を有する部品を表す。以下に、図面を参照しながら説明される実施形態は例示的なものであり、本発明を解釈するためだけに用いられ、本発明を限定するものと理解されるものではない。
【００４９】
以下の説明において、多くの異なる実施形態または例を提供することにより本発明の異なる構造を実現する。本発明の説明を簡素化するため、以下に特定の例の部材及び配置について説明する。勿論、これらは例示に過ぎず、本発明を限定することを意図していない。
【００５０】
また、本発明は、異なる例において参考数字及び／または参考アルファベットを重複することができる。このような重複は、簡素化及び明瞭のためであり、それ自体は検討する各種の実施例及び／または配置の間の関係を示すものではない。また、本発明は、さまざまな特定のプロセス及び材料の例を挙げているが、当業者は、他のプロセスの適用及び／または他の材料の使用も考えることが可能である。
【００５１】
また、以下に説明される第一特徴が第二特徴の「上」にあることは、第一特徴と第二特徴とが直接的に接触することを含んでもよいし、第一特徴と第二特徴とが直接的に接触することではなくそれらの間の別の特徴を介して接触することを含んでもよい。
【００５２】
なお、本発明の説明において、明確な規定と限定がない限り、「取り付け」、「互いに接続」、「接続」の用語の意味は広く理解されるべきである。例えば、機械的な接続や、電気的な接続や、あるいは二つの部品の内部が連通することや、直接的に接続することや、中間媒体を介して間接的に接続することも可能である。当業者にとって、具体的な場合によって上記用語の本発明においての具体的な意味を理解することができる。
【００５３】
以下の説明及び図面を参照しながら、本発明の実施形態又は他の面は明瞭になる。これらの説明と図面において、本発明の実施形態における特定の実施方式が開示されることにより、本発明の実施形態の原理の一部の形態を示すが、本発明の実施形態の範囲はこれに限定されないと理解されるべきである。逆に、本発明の実施形態は添付する請求項の趣旨やその範囲内に属する全ての変化、補正及びその等価物を含む。
【００５４】
以下に、図面を参照しながら、本発明の実施形態により提出される炊飯器の加熱制御方法及び加熱制御装置を説明する。
【００５５】
まず、本発明の実施例による炊飯器の加熱方法において、炊飯器の構造について簡単に説明する。
【００５６】
炊飯器の一部の構造模式図である。図１に示されるように、本発明の実施形態に係る炊飯器は、第一コイル（即ち、底部内コイル）と第二コイル（即ち、底部外コイル）とを有し、第一加熱コイルが炊飯器の内鍋の下方に位置し、第二加熱コイルが第一加熱コイルの底部と予め設定された角度になり、第一加熱コイルと第二加熱コイルとがそれぞれ駆動され制御することができる。第一加熱コイルと第二加熱コイルとがいずれもリング形に設けられ、例えば、第一加熱コイルがリング形に内鍋の底部に分布され、第二加熱コイルがリング形に内鍋の側面の周辺に分布される。
【００５７】
また、本発明の一実施形態において、図１に示されるように、第二加熱コイルが内鍋の面取りに平行し、第一加熱コイルと予め設定された角度（例えば、４５度）になる。本発明の他の実施形態において、第二加熱コイルは第一部分と第二部分とを有し、第一部分が炊飯器内鍋の下方に位置し、第二部分が炊飯器の内鍋の側面に位置する。具体的には、例えば、第一部分が内鍋の底部に平行するように内鍋底部に設けられ、第二部分が底部と９０度になるように内鍋の側面に設けられ、これにより一層均一に加熱することができる。
【００５８】
本発明の実施形態において、炊飯器の加熱制御方法は、Ｎ個の加熱サイクルで炊飯器を制御して加熱することを含み、ここで、Ｎが正整数であり、各加熱サイクルが第一時間帯と第二時間帯とを含む。図２は、本発明の一実施形態に係る炊飯器の各加熱サイクルの加熱制御方法のフローチャートであり、図２に示されるように、各加熱サイクルにおいて、制御方法は以下のようなステップを含む。
【００５９】
Ｓ１、第一時間帯において第二加熱コイルで加熱するように制御して、炊飯器の内鍋の温度を側面から底部へ拡散させる。
【００６０】
具体的に、本発明の一実施形態において、第一加熱コイルと第二加熱コイルとのうちどちらを先に起動して加熱するかは、ご飯の調理効果に対して影響を与える。内鍋の底部を加熱、即ち第一加熱コイルで加熱して形成する熱流が内鍋のご飯に対する作用は上方に垂直なもので、まず第一加熱コイルを起動して加熱を行えば、大電力で形成された上方に垂直な熱流はご飯全体を上方へ容易に漂わせ、熱流と気泡とは米粒層をよく透過することができない。
【００６１】
図３は、本発明の他の実施形態に係る炊飯器の加熱制御過程の模式図であり、図３に示されるように、各加熱サイクルＴ（例えば、Ｔ１からＴＮ内）において、まず二加熱コイル即ち内鍋縁側に位置する加熱コイルが加熱するように制御し、第一時間帯に、例えば図３における各加熱サイクルの段階１に、第二加熱コイルで加熱するように制御し、内鍋内に形成される熱流がほぼ横方向且つリング形に分布されてご飯に作用することができ、ご飯内部を透過するとともに鍋全体のご飯を上方へ漂わないように固定する。
【００６２】
Ｓ２、第二時間帯において第一加熱コイルで加熱するように制御し、炊飯器の内鍋の温度を底部から上方へ拡散させる。
【００６３】
具体的に、第一時間帯において先に第二加熱コイルを起動して加熱した後、炊飯器内鍋の温度が側面から底部へ拡散し、まず米粒層を固化し、更に第二時間帯に第一加熱コイルを制御して加熱する。図３に示されるように、各加熱サイクルにおける段階２に、第一加熱コイル即ち底部コイルが加熱するように制御し、内鍋の温度を底部から上方へ拡散させ、この場合もご飯全体を上方へ漂わないように保持することができ、これで第一加熱コイルで加熱して形成する熱流と気泡を充分に利用することができ、より均一に加熱する。
【００６４】
本発明の他の実施形態においては、Ｎ個の加熱サイクルにおいて、第二加熱コイルで加熱するように制御する場合、第一加熱コイルで加熱しないように制御する。つまり、各加熱サイクルにおいて、まず第二加熱コイルで加熱するように制御し、次に第一加熱コイルが起動され加熱し、第二加熱コイルで加熱するように制御する場合、第一加熱コイルで加熱しなく、第二加熱コイルが加熱完成した後、第一加熱コイルで加熱するように制御し、即ち各加熱サイクルにおける第一時間帯はただ第二加熱コイルで加熱するように制御し、各サイクルの第二時間帯に第一加熱コイルだけが加熱するように制御する。
【００６５】
又は、Ｎ個の加熱サイクルにおいて、第一加熱コイルで加熱するように制御するとともに、第二加熱コイルで加熱するように制御し、第一加熱コイルの加熱効率が第二加熱コイルの加熱電力と異なる。つまり、まず第二加熱コイルを起動して加熱し、一定期間後、第一加熱コイルで加熱するように制御し、この場合、第一加熱コイルが第二加熱コイルとともに加熱することができ、即ち各加熱サイクルにおける第一時間帯においてただ第二加熱コイルだけが加熱するように制御し、各加熱サイクルにおける第二時間帯に第一加熱コイルと第二加熱コイルとが同時に加熱する。
【００６６】
この場合、第一加熱コイルの加熱電力が第二加熱コイルの加熱電力と異なり、例えば、第二加熱コイルの加熱電力を低下することができ、第一加熱コイルの加熱電力が第二加熱コイルの加熱電力より大きくさせる。ここで、まず第二加熱コイルを起動して加熱し、内鍋の温度が側面から米層を透過し、ご飯を上方へ漂わないように維持し、更に第一加熱コイル又は二つの加熱コイルが起動され加熱することにより、ご飯全体を上方へ漂わないようにすることができる。
【００６７】
第一加熱コイルと第二加熱コイルとが一つの加熱サイクルにおける加熱時間（即ち、第一時間帯と第二時間帯と）を変化させることができる。本発明の一実施形態において、ｉ番目の加熱サイクルにおける第一時間帯がｊ番目の加熱サイクルにおける第一時間帯より大きく、ｉ番目の加熱サイクルにおける第二時間帯がｊ番目の加熱サイクルにおける第二時間帯より小さく、０＜i＜j≦Ｎである。
【００６８】
図３に示されるように、ご飯を炊く過程全体に、異なる加熱段階の加熱サイクル内で、第一加熱コイルは一つの加熱サイクル内の加熱時間（即ち第一時間）が益々長くなるが、第二加熱コイルが一つの加熱サイクル内における加熱時間（即ち第二時間帯）は益々少なくなり、加熱の異なる段階に第一加熱コイルと第二加熱コイルの加熱時間比率を調整することは、更によい熱量バランスを達成することができる。
【００６９】
具体的には、図４に示されるように、ここで、グリッドバーは一つのサイクル（例えば、加熱サイクル）が４秒＜Ｔ＜５０秒を満たし、Ｔは一つの加熱サイクルの時間の長さである。例えば、各サイクルが１６秒である場合、各グリッドは２秒を示し、斜線ブロックは第一加熱コイルの加熱時間を示し、点ブロックは第二加熱コイルの加熱時間を示し、曲線Ｐ１は検出された炊飯器内底部の温度曲線で、曲線Ｐ２は検出された炊飯器内頂部の温度曲線である。
【００７０】
例えば、加熱サイクルの時間の長さが変わらない場合、ご飯を炊く過程全体におけるＮ個の加熱サイクルに対して、各加熱サイクル内の第一加熱時間と第二加熱時間とを変化させることができる。
【００７１】
例えば、図４の温度上昇段階に、ｉ番目の加熱サイクル内で、第二加熱コイルの加熱時間即ち第一時間帯が加熱サイクルの７/８で、第一加熱コイルの加熱時間即ち第二時間帯が加熱サイクルの１/８である。まず第二加熱コイルが起動され１４秒加熱し、次に第一加熱コイルが起動され２秒加熱し、ｊ番目の加熱サイクル内で、第一時間帯が加熱サイクルの５/８で、第二時間帯が加熱サイクルの３/８である。そして、ｊ番目の加熱サイクル内で、まず第二加熱コイルが１０秒加熱し、次に第一加熱コイルが６秒加熱する。
【００７２】
図４に示されるように、炊飯器が制御され加熱する加熱サイクルの時間の長さが一定である。また、加熱サイクルの時間の長さも変化させることができ、加熱熱量の分布に有利である。本実施形態において、図３に示されるように、Ｎ個の加熱サイクルで炊飯器を加熱するように制御し、ここで、Ｎ個の加熱サイクルで、少なくとも一部の加熱サイクルの時間の長さが異なる。即ち、異なる加熱段階に加熱サイクルが異なってもよい。
【００７３】
例えば、本発明の一実施形態において、ｉ番目の加熱サイクルの時間の長さはｊ番目の加熱サイクルの時間の長さより小さく、０＜i＜j≦Ｎである。具体的には、本実施形態において、加熱サイクルの時間の長さが４−５０秒であってもよい。図３に示されるように、ｉ番目の加熱サイクル（例えば、加熱サイクルＴ１）は１６秒である一方、ｊ番目の加熱サイクル（例えば、加熱サイクルＴＮ）は１９秒である。即ち、ご飯を炊く過程全体に、一定の時間内で加熱サイクルの時間の長さが益々大きくなり、第一加熱コイルと第二加熱コイルの加熱時間が相対的に変化し、加熱熱量の分布に有利である。
【００７４】
上記により、本実施形態に係る炊飯器の加熱制御方法は、第一加熱コイルと第二加熱コイルとを制御することにより加熱し、且つ各加熱サイクル内でまず第二加熱コイルで加熱するように制御し、これで内鍋内の米のフロートを避けられ、更に第一加熱コイルで加熱するように制御し、より均一に加熱させ、ご飯の味がよりよくなる。
【００７５】
また、異なる加熱段階において加熱サイクルの時間の長さを変化させることができ、第一加熱コイルと第二加熱コイルとが一つの加熱サイクル内における加熱時間の比率も変化させることができ、加熱熱量の均一分布に有利で、より均一に加熱することができる。
【００７６】
以下、図面を参照しながら、本発明の他の実施形態で提供される炊飯器を説明する。
【００７７】
図１は、本発明の一実施形態に係る炊飯器の一部の構造模式図である。図１に示されるように、本実施形態に係る炊飯器は、第一加熱コイル１０と、第二加熱コイル２０と、コントローラ（図示略）とを有し、第一加熱コイル１０が炊飯器の内鍋３０の下方に位置し、第二加熱コイル２０が第一加熱コイル１０の底部と予め設定された角度をなす。
【００７８】
なお、第一加熱コイル１０と第二加熱コイル２０とがいずれもリング形に配置されてもよい。例えば、第一加熱コイル１０は、リング形に炊飯器の内鍋３０の底部に分布され、第二加熱コイル２０がリング形に内鍋３０の側面の周辺に分布される。
【００７９】
コントローラは、Ｎ個の加熱サイクルで第一加熱コイル１０と第二加熱コイル２０とで加熱するように制御し、各加熱サイクルが第一時間帯と第二時間帯とを含み、第一時間帯において第二加熱コイル２０で加熱するように制御し、炊飯器の内鍋３０の温度を側面から底部へ拡散させ、第二時間帯に第一加熱コイル１０が加熱するように制御し、炊飯器の内鍋３０の温度を底部から上方へ拡散させる。ここで、Ｎは正整数である。
【００８０】
また、本実施形態において、図１に示されるように、第二加熱コイル２０が内鍋３０の面取りに平行し、第一加熱コイル１０と予め設定された角度（例えば、４５度）になる。本発明の他の実施形態において、第二加熱コイル２０は、第一部分と第二部分とを有し、ここで、第一部分が炊飯器内鍋３０の下方に位置し、第二部分が炊飯器３０の側面に位置する。
【００８１】
具体的には、例えば、第一部分が内鍋３０に平行するように内鍋３０の底部に設けられ、第二部分が底部と９０度になるように内鍋３０の側面に設けられ、これにより均一に加熱することができる。
【００８２】
具体的には、本実施形態において、コントローラが第一加熱コイル１０と第二加熱コイル２０とのうちどちらを先に起動するように制御して加熱することは、これはご飯の調理効果に影響を与える。内鍋３０の底部が加熱（即ち、第一加熱コイル１０が加熱）されて形成する熱流が内鍋３０内のご飯に作用して上方へ垂直になるため、まず第一加熱コイル１０が起動されて加熱すれば、大電力で形成される上方へ垂直する熱流が容易に鍋全体のご飯を上方へ漂わせ、熱流と気泡とがよく米粒層を透過することができなくなる。
【００８３】
図３は、本発明の他の実施形態に係る炊飯器の加熱制御過程の模式図である。
図３に示されるように、各加熱サイクルＴ例えばＴ１からＴＮ内に、コントローラは、まず第二加熱コイル２０即ち内鍋３０の縁側の加熱コイルを制御して加熱する。第一時間帯においては、例えば、図３における各加熱サイクルの段階１に、第二加熱コイル２０で加熱するように制御し、内鍋３０内に形成される熱流がご飯に作用する時に、横に近く且つリング形に配置されてもよい。ご飯内部を透過するとともに鍋全体のご飯を上方へ漂わせないように固定する。
【００８４】
第一時間帯において、まず第二加熱コイル２０が起動され加熱した後、炊飯器内鍋の温度を側面から底部へ拡散させ、米粒層を先に固化し、更にコントローラが第二時間帯において第一加熱コイル１０を制御して加熱する。図３に示されるように各加熱サイクルにおける段階２に、コントローラが第一加熱コイル即ち底部コイルが加熱するように制御し、内鍋の温度を底部から上方へ拡散させ、この場合もご飯全体を上方へ漂わせないように保持することができ、これで第一加熱コイル１０が加熱して形成する熱流と気泡が充分に利用され、より均一に加熱する。
【００８５】
本実施形態においては、Ｎ個の加熱サイクルにおいて、コントローラが第二加熱コイル２０で加熱するように制御する場合、第一加熱コイル１０で加熱しないように制御する。つまり、各加熱サイクルにおいて、コントローラは、まず第二加熱コイル２０で加熱するように制御し、更に第一加熱コイル１０を起動して加熱し、第二加熱コイル２０で加熱するように制御する場合、第一加熱コイル１０で加熱せず、第二加熱コイル２０で加熱した後、第一加熱コイル１０で加熱するように制御し、即ち各加熱サイクルにおける第一時間帯においては第二加熱コイル２０だけが加熱するように制御し、各サイクルの第二時間帯においては第一加熱コイル１０だけが加熱するように制御する。
【００８６】
又は、Ｎ個の加熱サイクルにおいて、コントローラは、第一加熱コイル１０で加熱するように制御するとともに、第二加熱コイル２０で加熱するように制御し、第一加熱コイル１０の加熱効率が第二加熱コイル２０の加熱電力と異なる。つまり、まず第二加熱コイル２０を起動して加熱し、一定期間後、第一加熱コイル１０で加熱するように制御し、この場合、第一加熱コイル１０と第二加熱コイル２０とで同時に加熱することができ、即ち各加熱サイクルにおける第一時間帯において第二加熱コイル２０だけで加熱するように制御し、各加熱サイクルにおける第二時間帯において第一加熱コイル１０と第二加熱コイル２０とで同時に加熱するように制御する。
【００８７】
この場合、第一加熱コイル１０の加熱電力が第二加熱コイル２０の加熱電力と異なり、例えば、第二加熱コイル２０の加熱電力を小さくし、第一加熱コイル１０の加熱電力が第二加熱コイル２０の加熱電力より大きくなるようにすることができる。ここで、まず第二加熱コイル２０が起動され加熱し、内鍋３０の温度が側面から米層を透過し、ご飯を上方へ漂わないように維持し、更に第一加熱コイル１０又は二つの加熱コイルを起動して同時に加熱することにより、ご飯全体を上方へ漂わせないようにすることができる。
【００８８】
また、本実施形態において、第一加熱コイル１０と第二加熱コイル２０とが一つの加熱サイクルにおける加熱時間（即ち、第一時間帯と第二時間帯と）を変化させることができ、本実施形態において、ｉ番目の加熱サイクルにおける第一時間帯がｊ番目の加熱サイクルにおける第一時間帯より大きく、ｉ番目の加熱サイクルにおける第二時間帯がｊ番目の加熱サイクルにおける第二時間帯より小さく、０＜ｉ＜ｊ≦Ｎである。
【００８９】
図３に示されるように、ご飯を炊く過程全体に、異なる加熱段階の加熱サイクル内で、第一加熱コイル１０は一つの加熱サイクル内の加熱時間（即ち、第一時間）が益々長くなるが、第二加熱コイル２０が一つの加熱サイクル内における加熱時間（即ち第二時間帯）は益々短くなり、加熱の異なる段階に第一加熱コイル１０と第二加熱コイル２０の加熱時間比率を調整することは、更によい熱量バランスを達成することができる。
【００９０】
具体的に、図４に示されるように、ここで、グリッドバーは一つのサイクル例えば、加熱サイクルが４秒＜Ｔ＜５０秒を満たし、Ｔは一つの加熱サイクルの時間の長さである。例えば、各サイクルが１６秒である場合、各グリッドは２秒を示し、斜線ブロックは第一加熱コイル１０の加熱時間を示し、点ブロックは第二加熱コイル２０の加熱時間を示し、曲線Ｐ１は検出された炊飯器内底部の温度曲線で、曲線Ｐ２は検出された炊飯器内頂部の温度曲線である。
【００９１】
例えば、加熱サイクルの時間の長さが変わらない場合、ご飯を炊く過程全体におけるＮ個の加熱サイクルに対して、各加熱サイクル内において第一加熱時間と第二加熱時間とを変化させることができる。
【００９２】
例えば、温度上昇段階に、即ち図４の段階１において、ｉ番目の加熱サイクル内で、第二加熱コイル２０の加熱時間即ち第一時間帯は加熱サイクルの７/８で、第一加熱コイル１０の加熱時間即ち第二時間帯は加熱サイクルの１/８である。まず第二加熱コイル２０が起動され１４秒加熱し、次に第一加熱コイル１０が起動され２秒加熱し、ｊ番目の加熱サイクル内で、第一時間帯は加熱サイクルの５/８で、第二時間帯は加熱サイクルの３/８である。そして、ｊ番目の加熱サイクル内で、第二加熱コイル２０がまず起動され１０秒加熱し、次に第一加熱コイル１０が起動され６秒加熱する。
【００９３】
図４に示されるように、コントローラにより炊飯器が制御されて加熱する加熱サイクルの時間の長さは、一定である。一方、加熱サイクルの時間の長さも変化させることができ、加熱熱量の分布に有利である。本実施形態において、図３に示されるように、コントローラはＮ個の加熱サイクルで炊飯器を加熱するように制御し、ここで、Ｎ個の加熱サイクルで、少なくとも一部の加熱サイクルの時間の長さが異なり、即ち、異なる加熱段階に加熱サイクルが異なっていてもよい。
【００９４】
例えば、本発明の他の実施形態において、ｉ番目の加熱サイクルの時間の長さはｊ番目の加熱サイクルの時間の長さより小さく、０＜i＜j≦Ｎである。具体的には、本実施形態において、加熱サイクルの時間の長さが１６秒であってもよい。図３に示されるように、ｉ番目の加熱サイクル（例えば加熱サイクルＴ１）は１６秒である一方、ｊ番目の加熱サイクル（例えば、加熱サイクルＴＮ）は１９秒である。即ち、ご飯を炊く過程全体に、一定の時間内で加熱サイクルの時間の長さが益々長くなり、第一加熱コイル１０と第二加熱コイル２０との加熱時間が相対的に変化し、加熱熱量の分布に有利である。
【００９５】
本実施形態に係る炊飯器によると、コントローラが第一加熱コイルと第二加熱コイルを制御して加熱し、且つ各加熱サイクル内でまず第二加熱コイルで加熱するように制御し、これで内鍋内の米のフロートを避け、更に第一加熱コイルで加熱するように制御し、より均一に加熱させ、ご飯の味がよりよくなる。
【００９６】
一方、異なる加熱段階において加熱サイクルの時間の長さを変化させることができ、第一加熱コイルと第二加熱コイルとが一つの加熱サイクル内における加熱時間の比率も変化させることができ、加熱熱量の均一分布に有利で、より均一に加熱することができる。
【００９７】
図１に示す炊飯器の構造に基づき、本発明は更に他の炊飯器の加熱制御方法を提供する。
【００９８】
本実施形態に係る炊飯器の加熱制御方法において、第一加熱段階と第二加熱段階（例えば、温度上昇段階と温度維持段階）とが含まれ、図５は、本発明の他の実施形態による炊飯器の制御方法のフローチャートであり、図５に示されるように、本実施形態に係る炊飯器の制御方法は以下のようなステップを含む。
【００９９】
Ｓ５０、第一加熱段階内で、Ｎ１個の加熱サイクルに亘って炊飯器を制御して加熱し、Ｎ１個の加熱サイクル内で、第二加熱コイルの加熱時間が第一加熱コイルの加熱時間に対する時間比率が予め設定された閾値より大きくなるように制御する。
【０１００】
ここで、Ｎ１は正整数である。本実施形態において、第一加熱コイルと第二加熱コイルとの加熱時間比率は鍋全体のご飯の加熱と沸騰効果に影響を与える。例えば、煮炊きを初めてから水が沸騰するまでの間を第一加熱段階（即ち、温度上昇段階）とみなし、水が沸騰してから煮炊きが終わるまでは第二加熱段階（例えば、温度維持段階）とみなすことができる。
【０１０１】
図６は、本発明の他の実施形態に係る炊飯器の加熱制御過程の模式図である。
ここで、グリッドバーは一つのサイクル（例えば、加熱サイクル）が４秒＜Ｔ＜５０秒を満たし、Ｔは一つの加熱サイクルの時間の長さで、例えば、一つのサイクルが１６秒である場合、各グリッドは２秒を示し、斜線ブロックは第一加熱コイルの加熱時間を示し、点ブロックは第二加熱コイルの加熱時間を示し、図６に示す第一加熱段階（例えば、温度上昇段階）において、Ｎ１個の加熱サイクル内で、底部の米粒が焦げてブロックにならないように、第一加熱コイルの加熱を減少し、第二加熱コイルの加熱時間が第一加熱コイルの加熱時間に対する時間比率は予め設定された比率閾値より大きく、主に第二加熱コイルを制御して加熱することを主要とする。
【０１０２】
ここで、Ｎ１個の加熱サイクル内で、第二加熱コイルを制御して加熱する場合、第一加熱コイルで加熱しないように制御することができる。例えば、温度上昇段階に、一つの加熱サイクル内で、第二加熱コイルの加熱時間が第一加熱コイルの加熱時間に対する比は１より大きく、即ち、第二加熱コイルの加熱時間が第一加熱コイルの加熱時間より大きく、第二加熱コイルの加熱を主要とし、この過程に、底部にある米粒が内鍋底部の表面の高温の破壊に影響が与えられなく、米粒は深刻な米ブロック層を形成することはない。
【０１０３】
Ｓ５１、第二加熱段階内で、Ｎ２個の加熱サイクルで炊飯器を制御して加熱し、且つＮ２個の加熱サイクル内で、第二加熱コイルの加熱時間と第一加熱コイルの加熱時間との時間比率が小さくなるように制御する。
【０１０４】
ここで、Ｎ２は正整数である。具体的に、水が沸騰寸前のとき、温度維持段階即ち図６の第二加熱段階に入り、Ｎ２個の加熱サイクルの各加熱サイクル内で、第二加熱コイルの加熱時間が第一加熱コイルの加熱時間に対する時間比率は小さくなり、即ち第二加熱コイルの加熱時間が短くなるように制御し、第一加熱コイルの加熱比率を大きくさせ、第一加熱コイルの加熱を主要とし、内鍋の底部が発生する気泡が順調に上方へルースな米粒を透過し、最終的に均一に沸騰する効果を達成し、煮炊きするご飯は柔らかくて味がよくなる。また、Ｎ２個の加熱サイクル内で、第二加熱コイルを制御して加熱する場合、第一加熱コイルで加熱しないように制御することができる。
【０１０５】
更に、第一加熱段階と第二加熱段階とにおける各加熱サイクルに対し、以下のような加熱制御方法を実行する。図７は本発明の他の実施形態に係る一つの加熱サイクル内の炊飯器の加熱制御方法のフローチャートである。図７に示されるように、各加熱サイクル内で、上記方法は以下のようなステップを含む。
【０１０６】
Ｓ７０、第二加熱コイルで加熱するように制御して、炊飯器の内鍋の温度を側面から底部へ拡散させる。
【０１０７】
具体的に、本実施形態において、第一加熱コイルと第二加熱コイルとに対し加熱することができ、ここで、各加熱サイクル内で、第二加熱コイル即ち底部側面のコイルを制御して予め設定されたパワーで加熱し、予め設定されたパワーが具体的な製品により設定されてもよく、炊飯器内鍋の温度を側面から底部へ拡散させることが可能である。
【０１０８】
Ｓ７１、第一加熱コイルで加熱するように制御して、炊飯器内鍋の温度を底部から上方へ拡散させる。
【０１０９】
具体的には、第二加熱コイルで加熱する場合、単に第一加熱コイルを制御して加熱することもでき、第一加熱コイルと第二加熱コイルとの加熱電力は同じ、例えば、いずれも予め設定されたパワーで加熱することができる。第一加熱コイルを制御して加熱することにより、炊飯器内鍋の温度を底部から上方へ拡散させる。第一加熱コイルと第二加熱コイルとを加熱するように制御し、異なる加熱領域の火力の調整が実現される。
【０１１０】
具体的には、第一加熱段階から第二加熱段階に入るタイミングについて、本発明の他の実施形態において、上記炊飯器の加熱制御方法は、炊飯器内頂部の温度を検出するステップを更に含み、炊飯器内の頂部の温度が温度閾値まで達成する場合、炊飯器を第二加熱段階に入るように制御し、即ち水が沸騰寸前で温度維持段階に入るように制御する。
【０１１１】
つまり、水が沸騰する寸前の判断基準は、検出された炊飯器内の頂部の温度が予め設定された温度、例えば９０℃に達することを基準とする。例えば、図６に示されるように、ここで、曲線Ｐ１は検出された炊飯器内底部の温度曲線であり、曲線Ｐ２は検出された炊飯器内の頂部の温度曲線である。検出された炊飯器内頂部の温度が９０℃になると、炊飯器が第二加熱段階の制御に入り、一つの加熱サイクル内で、第二加熱コイルの加熱時間が第一加熱コイルの加熱時間に対する時間比率が小さくなるように制御する。
【０１１２】
一方、本実施形態において、第二加熱コイルの加熱時間が第一加熱コイルの加熱時間に対する時間比率は変化させることができる。例えば、第一加熱段階内で、第二加熱コイルの加熱時間と第一加熱コイルとの時間比率が定数、例えば１であってもよい。又は、第一加熱段階内で、ｉ番目の加熱サイクルにおける時間比率はｊ番目の加熱サイクルにおける時間比率より小さく、０＜ｉ＜ｊ≦Ｎ１であってもよい。
【０１１３】
例えば、図８に示されるような、本発明の他の実施形態に係る炊飯器の第一加熱段階の模式図において、第一加熱段階、例えば、温度上昇段階の一定時間内に第二加熱コイルの第一加熱コイルに対する加熱時間の比率が益々大きくなり、例えば、ｉ番目の加熱サイクル内で、第二加熱サイクルが第一加熱コイルの加熱時間比率は５：１で、例えば、加熱サイクルは１６秒で、ｉ番目の加熱サイクル内で、第二加熱コイルの加熱時間は１０秒であり、第一加熱コイルの加熱時間は２秒である。ｊ番目の加熱サイクル内で、第二加熱コイルが第一加熱コイルの加熱時間比率は７：１で、例えば、第二加熱コイルの加熱時間は１４秒であると、第一加熱コイルの加熱時間は２秒である。
【０１１４】
本発明の他の実施形態において、第二加熱段階内で（即ち、沸騰段階に）温度を維持する場合、第二加熱コイルの第一加熱コイルに対する加熱時間比率は予め設定された比率閾値より大きく、又は予め設定された比率閾値に等しく、又は予め設定された比率閾値より小さい。例えば、ｋ番目の加熱サイクルにおける第二加熱コイルの加熱時間が第一加熱コイルの加熱時間に対する時間比率は予め設定された比率閾値より小さく、０＜ｋ≦Ｎ２である。
【０１１５】
例えば、図６に示されるように、第二加熱段階即ち温度維持段階に、第二加熱コイルの加熱時間が第一加熱コイルの加熱時間に対する比率は例えば３：４で、又は１：１即ち等しいである。
【０１１６】
また、本発明の他の実施形態において、一つの加熱サイクル内で、第二加熱コイルが予め設定されたパワーで加熱するように制御する場合、第一加熱コイルで加熱しない又は予め設定された時間の後に第一加熱コイルが予め設定されたパワーで加熱するように制御する。つまり、各加熱サイクルにおいて、まず第二加熱コイルで加熱するように制御し、第二加熱コイルで加熱するように制御する場合、第一加熱コイルで加熱しない。
【０１１７】
又は、第二加熱コイルでまず加熱するように制御し、次は第一加熱コイルと第二加熱コイルとで同時加熱し、第一加熱段階に、第二加熱コイルの加熱時間が第一加熱コイルと第二加熱コイルとが同時に加熱する時間に対する比率は予め設定された比率閾値より大きい。
【０１１８】
上記により、本実施形態に係る炊飯器の加熱制御方法によると、第一加熱コイルと第二加熱コイルとで加熱するように制御し、第一加熱段階に、第二加熱コイルの加熱時間が第一加熱コイルの加熱時間に対する比率は予め設定された時間比率より大きく、即ち第二加熱コイルを主要とし、炊飯器の底部の米粒が深刻な米ブロック層を形成することが防止される。更に、第二加熱段階で、第二加熱コイルの加熱時間の第一加熱コイルの加熱時間に対する比率は小さくなり、即ち第二加熱コイルの加熱時間を減少させ、第一加熱コイルの加熱比率を大きくさせ、第一加熱コイルの加熱を主要とし、これで内鍋の底部により発生する気泡が順調に上方へルースな米粒を均一に透過し、均一に沸騰させ、炊き上がれたご飯は柔らかくて味がよく、良好な効果がある。
【０１１９】
以下に、図面を参照しながら、本発明の他の実施形態に提供される炊飯器を説明する。
【０１２０】
図１に示されるように、本実施形態に係る炊飯器は、第一加熱コイル１０と、第二加熱コイル２０と、コントローラ（図示略）とを有する。第一加熱コイル１０は、炊飯器の内鍋３０の下方に位置し、第二加熱コイル２０が第一加熱コイル１０の底部と予め設定された角度をなす。第一加熱コイル１０と第二加熱コイル２０とが別々に駆動され制御されることは可能である。
【０１２１】
第一加熱コイル１０と第二加熱コイル２０とがいずれもリング形に配置されてもよい。例えば、第一加熱コイル１０はリング形に炊飯器の内鍋３０の底部に分布され、第二加熱コイル２０がリング形に内鍋３０の側面の周辺に分布されると理解される。
【０１２２】
また、本発明の他の実施形態において、図１に示されるように、第二加熱コイル２０が内鍋３０の面取りに平行し、第一加熱コイル１０と予め設定された角度（例えば、４５度）になる。本発明の他の実施例において、第二加熱コイル２０は第一部分と第二部分とを有し、ここで、第一部分が炊飯器内鍋３０の下方に位置し、第二部分が炊飯器３０の側面に位置する。
【０１２３】
具体的には、例えば、第一部分が内鍋３０に平行するように内鍋３０の底部に設けられ、第二部分が底部と９０度になるように内鍋３０の側面に設けられ、これにより均一に加熱することができる。
【０１２４】
ここで、炊飯器の加熱段階は第一加熱段階と第二加熱段階とを含み、第一加熱段階において、コントローラがＮ１個の加熱サイクルで炊飯器が加熱するように制御し、第二加熱段階内で、コントローラがＮ２個の加熱サイクルに亘って炊飯器が加熱するように制御し、ここで、Ｎ１もＮ２も正整数である。第一加熱コイルが第二加熱コイルに対する加熱時間比率は鍋全体のご飯の加熱と沸騰効果に影響を与え、Ｎ１個の加熱サイクル内で、コントローラは、第二加熱コイル２０の加熱時間が第一加熱コイル１０の加熱時間に対する時間比率が予め設定された比率閾値より大きくなるように制御し、Ｎ２個の加熱サイクル内で、コントローラは、第二加熱コイル２０の加熱時間の第一加熱コイル１０の加熱時間に対する時間比率が小さくなるように制御する。
【０１２５】
具体的には、例えば、煮炊きを初めてから水が沸騰するまでの間を第一加熱段階（即ち、温度上昇段階）とみなし、水が沸騰してから煮炊きが終わるまでは第二加熱段階（例えば、温度維持段階）とみなす。
【０１２６】
図６は、本発明の他の実施形態に係る炊飯器の加熱制御過程のフローチャートである。図６に示す第一加熱段階（例えば、温度上昇段階）に、Ｎ１個の加熱サイクル内で、底部の米粒が焦げてブロックにならないように、第一加熱コイル１０の加熱を減少し、第二加熱コイル２０の加熱時間の第一加熱コイル１０の加熱時間に対する時間比率が予め設定された比率閾値より大きく、主に第二加熱コイル２０を制御して加熱する。
【０１２７】
ここで、Ｎ１個の加熱サイクル内で、第二加熱コイル２０を制御して加熱する場合、第一加熱コイル１０で加熱しないように制御することができる。例えば、温度上昇段階に、一つの加熱サイクル内で、第二加熱コイル２０の加熱時間が第一加熱コイル１０の加熱時間に対する比は１より大きく、即ち、第二加熱コイル２０の加熱を主要とし、この過程に、底部にある米粒が内鍋３０底部の表面の高温の破壊に影響が与えられず、米粒は深刻な米ブロック層を形成することがない。
【０１２８】
水が沸騰寸前の場合、温度維持段階、即ち図６の第二加熱段階に入り、Ｎ２個の加熱サイクルの各加熱サイクル内で、コントローラは、第二加熱コイル２０の加熱時間の第一加熱コイル１０の加熱時間に対する比率が小さくなり、即ち、第二加熱コイル２０の加熱時間を制御して減少させ、第一加熱コイルの加熱比率を大きくさせ、第一加熱コイル１０の加熱を主要とし、内鍋３０の底部が発生する気泡が順調に上方へルースな米粒を透過し、最終的に均一に沸騰する効果を達成し、煮炊きするご飯は柔らかくて味がよい。
【０１２９】
また、Ｎ２個の加熱サイクル内で、コントローラは第二加熱コイル２０を制御して加熱する場合、第一加熱コイル１０で加熱しないように制御することができる。
【０１３０】
第一加熱段階と第二加熱段階との加熱サイクル毎に、コントローラは、それぞれ第一加熱コイル１０と第二加熱コイル２０とで加熱することができ、これにより異なる加熱領域の火力の調整が実現される。コントローラは、第二加熱コイル２０を制御して予め設定されたパワーで加熱させ、炊飯器内鍋３０の温度が側面から底部へ拡散し、第一加熱コイル１０が予め設定されたパワーで加熱することを制御し、炊飯器内鍋３０の温度を底部から上方へ拡散させる。
【０１３１】
上記炊飯器は、炊飯器の内部温度を検出するための温度検出器を更に有し、温度検出器は、炊飯器内の頂部に位置され、温度が予め設定された温度に達したことが検出された場合、コントローラが炊飯器を第二加熱段階に入るように制御し、即ち水が沸騰寸前で温度維持段階に入るように制御する。
【０１３２】
つまり、水が沸騰する寸前の判断基準は、検出された炊飯器内頂部の温度が予め設定された温度例えば９０℃に達することを基準とする。例えば、図６に示されるように、ここで、グリッドバーは一つのサイクル例えば、加熱サイクルが４秒＜Ｔ＜５０秒を満たし、Ｔは一つの加熱サイクルの時間の長さで、例えば、一つのサイクルが１６秒である場合、各グリッドは２秒を示す。斜線ブロックは第一加熱コイル１０の加熱時間を示し、点ブロックは第二加熱コイル２０の加熱時間を示し、曲線Ｐ１は検出された炊飯器内底部の温度曲線であり、曲線Ｐ２は検出された炊飯器内頂部の温度曲線である。温度検出器により検出された炊飯器内の頂部の温度が９０℃に達すると、炊飯器が第二加熱段階の制御に入り、一つの加熱サイクル内で、第二加熱コイルが第一加熱コイルに対する加熱時間比率を小さくなるように制御する。
【０１３３】
また、本実施形態において、第二加熱コイル２０の加熱時間の第一加熱コイル１０の加熱時間に対する時間比率を変化させることができる。例えば、第一加熱段階内で、第二加熱コイル２０の加熱時間が第一加熱コイル１０に対する時間比率は定数であってもよい。又は、第一加熱段階内で、ｉ番目の加熱サイクルにおける時間比率はｊ番目の加熱サイクルにおける時間比率より小さく、０＜ｉ＜ｊ≦Ｎ１であってもよい。
【０１３４】
例えば、図８に示されるような、本発明の他の実施形態に係る炊飯器の第一加熱段階の模式図において、第一加熱段階、例えば、温度上昇段階の一定時間内で第二加熱コイル２０の第一加熱コイル１０に対する加熱時間の比率が益々大きくなる。例えば、ｉ番目の加熱サイクル内で、第二加熱サイクルが第一加熱コイル１０の加熱時間比率は５：１で、例えば、加熱サイクルは１６秒で、ｉ番目の加熱サイクル内で、第二加熱コイル２０の加熱時間は１０秒であり、第一加熱コイル１０の加熱時間は２秒で、ｊ番目の加熱サイクル内で、第二加熱コイル２０が第一加熱コイル１０の加熱時間比率は７：１で、例えば、第二加熱コイル２０の加熱時間は１４秒であると、第一加熱コイル１０の加熱時間は２秒である。
【０１３５】
本発明の他の実施形態において、第二加熱段階内で（即ち、沸騰段階）に温度を維持する場合、第二加熱コイル２０が第一加熱コイル１０に対する加熱時間比率は予め設定された比率閾値より大きい、予め設定された比率閾値に等しい、又は予め設定された比率閾値より小さい。例えば、ｋ番目の加熱サイクルにおける第二加熱コイル２０の加熱時間が第一加熱コイル１０の加熱時間に対する時間比率は予め設定された比率閾値より小さく、０＜ｋ≦Ｎ２である。
【０１３６】
例えば、図６に示されるように、第二加熱段階即ち温度維持段階に、第二加熱コイル２０の加熱時間が第一加熱コイルの加熱時間に対する比率は、例えば３：４で、又は１：１即ち等しい。
【０１３７】
また、本発明の他の実施形態において、一つの加熱サイクル内で、コントローラは、第二加熱コイル２０が予め設定されたパワーで加熱するように制御する場合、第一加熱コイル１０で加熱しない又は予め設定された時間の後に第一加熱コイル１０が予め設定されたパワーで加熱するように制御する。
【０１３８】
つまり、各加熱サイクルにおいて、コントローラは、まず第二加熱コイル２０で加熱するように制御し、第二加熱コイル２０で加熱するように制御する場合、第一加熱コイル１０で加熱しない。
【０１３９】
又は、まず第二加熱コイル２０で加熱するように制御し、次は第一加熱コイル１０と第二加熱コイル２０とが同時加熱するように制御する。この場合には、第二加熱コイル２０の加熱を主要とし、第一加熱段階に、第二加熱コイル２０の加熱時間が第一加熱コイル１０と第二加熱コイル２０とが同時に加熱する加熱時間に対する比率は予め設定された比率閾値より大きい。
【０１４０】
上記により、本実施形態に係る炊飯器によると、コントローラは、それぞれ第一加熱コイルと第二加熱コイルとを制御して加熱し、第一加熱段階に、第二加熱コイルの加熱時間の第一加熱コイルの加熱時間に対する比率が予め設定された時間比率より大きく、即ち第二加熱コイルを主要とし、炊飯器の底部の米粒が深刻な米ブロック層を形成することが防止される。更に、第二加熱段階に、第二加熱コイルの加熱時間が第一加熱コイルの加熱時間に対する比率は小さくなり、即ち第二加熱コイルの加熱時間を減少させ、第一加熱コイルの加熱比率を大きくさせ、第一加熱コイルの加熱を主要とし、これで内鍋底部により発生する気泡が順調に上方へルースな米粒を均一に透過し、均一に沸騰させ、炊き上がれたご飯は柔らかくて味がよく、良好な効果がある。
【０１４１】
フローチャートまたは他の方式で説明したいずれの過程や方法は、一つまたは複数の、特定ロジック性能または過程のステップの実行できるコマンドのコードのモジュール、セクターあるいは要素を含むことを示すと理解され、本発明の望ましい実施方式の範囲は、他の実現を含み、表示または討論の順序に従わなくてもよい。述べられた機能に基づいて基本的に同時な方式または逆の順序で、その機能を実行することができる。これは、本発明の実施形態の当業者に理解される。
【０１４２】
フローチャート中で表され、又はその他の方式で記述された論理及び／又はステップは、例えば、論理機能を実現するための命令実行可能な順序リストであると考えられてよい。具体的には、いかなるコンピュータ読取可能媒体中でも実現することができる。これにより、指令実行システム、装置、若しくは設備（例えばコンピュータに基づくシステム、プロセッサを含むシステム又は他の指令実行システム、装置又は設備から指令を取得して指令を実行することができるシステム等）に使用され、又はこれらの指令実行システム、装置、若しくは設備を結合して使用される。
【０１４３】
本明細書について説明すれば、「コンピュータ読取可能媒体」は、プログラムを含み、保存し、通信し、伝播し又は伝送して、指令実行システム、装置若しくは設備又はこれらの指令実行システム、装置若しくは設備に使用されるいかなる装置であってもよい。コンピュータ読取可能媒体のさらに具体的な例示（非網羅的リスト）には、１つ以上の配線を有する電気接続部（電子装置）、ポータブル型コンピュータディスク（磁気装置）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、及びコンパクト光ディスク読み出し専用メモリ（ＣＤＲＯＭ）が含まれる。
【０１４４】
また、コンピュータ読取可能媒体は、その上に前述のプログラムを印刷した紙又はその他適当な媒質でさえあってよい。なぜならば、例えば、紙又はその他の媒質に対して光学スキャンを行い、続いて編集、解釈又は必要ならその他適当な方式で処理を行って、電子方式によってプログラムを取得し、その後それをコンピュータメモリ中に保存することができるからである。
【０１４５】
また、理解すべきなのは、本発明の各部分は、ハードウェア、ソフトウェア、部品また
はそれらの組み合わせで実現できる。上記実施形態には、複数のステップまたは方法がメモリに保存され、適当なコマンド実行システムのソフトウェアまたは部品で実現される。たとえば、ハードウェアで実現する場合、他の実施方式と同じように、本領域周知の下記の任意一つまたはそれらの組み合わせで実現できる。
【０１４６】
すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【０１４７】
実施形態の方法にある全部または一部のステップがプログラムにより関連のハードウェアを実行することで完成されることは、当業者に理解される。上記プログラムは一つの計算機の読み出し書き込み可能な記憶メディアに記憶される。当プログラムを実行するとき、実施例方法のステップの一つまたはそれらの組み合わせを含む。
【０１４８】
なお、本発明の各実施形態の各機能ユニットを一つの処理モジュールに集中させてもよいし、各ユニットの単独的な物理存在であってもよい。あるいは、二つまたは二つ以上ユニット集を一つの処理モジュールに集中することができる。集成したモジュールは、ハードウェアの形式、または、ソフトウェアの形式で実現される。集成したモジュールは、ソフトウェアの形式で実現し、また、独立の製品として販売や使用するとき、計算機の読み出し書き込み可能な記憶メディアに記憶されることができる。
【０１４９】
上述の記憶メディアは、読み出し専用メモリ、ディスク、または、ＣＤなどである。
【０１５０】
本発明の説明において、「一実施形態」、「他の実施形態」、「実施例」、「具体的な実施例」、或いは「他の実施例」などの用語を参考した説明とは、該実施形態或いは実施例に結合して説明された具体的な特徴、構成、材料或いは特徴が、本発明の少なくとも一つの実施形態或いは実施例に含まれることである。本明細書において、上記用語に対する例示的な描写は、必ずしも同じ実施形態或いは実施例を示すことではない。又、説明された具体的な特徴、構成、材料或いは特徴は、いずれか一つ或いは複数の実施形態又は実施例において適切に結合することができる。
【０１５１】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【図１】
0006377851.tif 000002
【図２】
0006377851.tif 000003
【図３】
0006377851.tif 000004
【図４】
0006377851.tif 000005
【図５】
0006377851.tif 000006
【図６】
0006377851.tif 000007
【図７】
0006377851.tif 000008
【図８】
0006377851.tif 000009